(57)【要約】【課題】競技等の試合状況情報の配信サービスを希望する利用者に対して、携帯電話を用いて、これらの試合状況情報を提供できるようにする。【解決手段】利用者が所持する携帯電話機及び非接触ＩＣタグと、非接触ＩＣタグに記憶された識別情報を非接触で読み取る手段と、前記手段で読み取った識別情報をサーバに送信する手段とを有する非接触ＩＣタグ読取装置と、利用者の電子メールアドレスと前記識別情報とが関連付けられて登録されている会員情報データベースと、試合の状況を入力する入力手段を有する端末と、入力された試合状況が記憶された試合状況情報データベースと、非接触ＩＣタグ読取装置から受信した識別情報に基づき、会員情報データベースから該識別情報に関連付けられて登録されている電子メールアドレス宛てに試合状況情報を配信する配信手段とを有するサーバと、からなることを特徴とする。【選択図】　　　　図１
2004102372.tif 000002
【特許請求の範囲】
【請求項１】
競技等の試合状況情報を、携帯電話を用いて利用者へ提供する試合状況情報提供システムであって、
前記利用者が所持する携帯電話機及び識別情報が記憶された非接触ＩＣタグと、
前記非接触ＩＣタグに記憶された識別情報を非接触で読み取る手段と、前記手段で読み取った識別情報をサーバに送信する手段とを有する非接触ＩＣタグ読取装置と、
前記利用者の電子メールアドレスと前記識別情報とが関連付けられて登録されている会員情報データベースと、
試合の状況を入力する入力手段を有する端末と、
前記端末から入力された試合の状況が記憶された試合状況情報データベースと、
前記非接触ＩＣタグ読取装置から受信した識別情報に基づいて、前記会員情報データベースから該識別情報に関連付けられて登録されている電子メールアドレス宛てに前記試合状況情報データベースに記憶されている試合状況情報を配信する配信手段とを有するサーバと、
からなることを特徴とする試合状況情報提供システム。
【請求項２】
前記非接触ＩＣタグ読取装置が、街頭／又は駅構内の複数箇所にそれぞれ設けられていることを特徴とする請求項１記載の試合状況情報提供システム。
【発明の詳細な説明】
【０００１】
【発明の属する技術分野】
本発明は、競技等の試合状況情報の配信サービスを希望する利用者に対して、携帯電話を用いて提供することを可能にした試合状況情報提供システムに関する。
【０００２】
従来、プロ野球やプロサッカーなどの競技を観戦する場合には、これらの競技が行われる競技場等の施設に来場してスポーツ観戦を楽しんでいる。
また、これらの競技は、テレビやラジオを通して放送することで多くの人々が試合の状況を見たり、聞いたりできるようになっている。
これにより、譬え外出先であっても、ラジオを聞くなどすることでどこでも簡単に試合状況を知ることができる。
【０００３】
しかしながら、通勤や通学などの外出の際に、小型のテレビやラジオを持ち歩くのは面倒であるし、かさばり、イヤーホンを耳に付けた状態で歩くのは煩わしい。
また、例えば通勤や通学の途中においてもラジオの放送を聞き続けることは、煩わしい場合もあり、自分が知りたい時だけにその都度試合の状況がわかればよいと思う利用者もいる。
更に、利用者が、得点結果を知りたくて、ラジオのスイッチを入れて野球等の中継を聞いても、タイミングよく得点結果などの試合の状況を放送していない場合が多く直ぐにこれらの情報を知ることができ難いという問題がある。
【０００４】
従来の試合情報提供システムとしては、試合情報を随時入力手段から入力して、これらの情報をデータベースに登録することで、端末装置にこれらの試合情報の提供を行うようにしている（例えば、特許文献１乃至３参照）。
しかしながら、これらのシステムは、逐次複数のユーザにリアルタイムに報告するためのもので、個人向けに試合情報を提供するシステムではない。
【０００５】
【特許文献１】
特開平８−２９９５２５号公報
【特許文献２】
特開平９−１３４３２３号公報
【特許文献３】
特開平９−１３４４０２号公報
【０００６】
【発明が解決しようとする課題】
本発明は、上記のような問題点に鑑みてなされたものであり、その目的とするところは、外出の際にテレビやラジオを持ち歩かなくても、競技等の試合状況情報の配信サービスを希望する利用者に対して、携帯電話を用いて、これらの試合状況情報を提供できるようにして、利用者の利便性の向上を図った試合状況情報提供システムを提供する。
【０００７】
【課題を解決するための手段】
上記の目的を達成するために、本発明の試合状況情報提供システムは、競技等の試合状況情報を、携帯電話を用いて利用者へ提供する試合状況情報提供システムであって、前記利用者が所持する携帯電話機及び識別情報が記憶された非接触ＩＣタグと、前記非接触ＩＣタグに記憶された識別情報を非接触で読み取る手段と、前記手段で読み取った識別情報をサーバに送信する手段とを有する非接触ＩＣタグ読取装置と、前記利用者の電子メールアドレスと前記識別情報とが関連付けられて登録されている会員情報データベースと、試合の状況を入力する入力手段を有する端末と、前記端末から入力された試合の状況が記憶された試合状況情報データベースと、前記非接触ＩＣタグ読取装置から受信した識別情報に基づいて、前記会員情報データベースから該識別情報に関連付けられて登録されている電子メールアドレス宛てに前記試合状況情報データベースに記憶されている試合状況情報を配信する配信手段とを有するサーバと、からなることを特徴とする。
【０００８】
また、本発明の試合状況情報提供システムは、前記非接触ＩＣタグ読取装置が、街頭／又は駅構内の複数箇所にそれぞれ設けられていることを特徴とする。
【０００９】
【発明の実施の形態】
図１は、本発明の実施形態に係る試合状況情報提供システムの全体構成を説明する図、図２は、本発明で使用される非接触ＩＣタグの一例を示す平面図、図３は、紙層間に非接触ＩＣタグを挟持させた状態の非接触ＩＣタグ紙片を示す略断面図、図４は、本発明の実施形態に係る試合状況情報提供システムのシステムブロック図、図５は、本発明の実施形態に係る試合状況情報提供システムの会員情報データベースの記憶内容を示す図、図６は、本発明の実施形態に係る試合状況情報提供システムにおける携帯電話機の表示内容を示す図、図７は、本発明の実施形態に係る試合状況情報提供システムの処理手順を示すフローチャートである。
【００１０】
まず、本発明の試合状況情報提供システムの概要を図１に基づいて説明する。
本発明の試合状況情報提供システムは、例えば、野球場やサッカー場等の競技が行われている競技場等に行って、スポーツなどの観戦を行うことができない人々に対して、外出先でも試合状況の情報を携帯電話を利用して配信できるようにしてあり、これらの試合状況情報の配信を希望する利用者１は、携帯電話機２と非接触ＩＣタグ３とを所持する必要がある。
非接触ＩＣタグ３は、図１に示すように、携帯電話機２のストラップに付けるなどして所持することが使用上便利であり好ましい。
【００１１】
この利用者１は、非接触ＩＣタグ３の発行を受ける際に、予め会員登録等を行うことで少なくとも自己の電子メールアドレス等の個人情報と、非接触ＩＣタグ３の記憶手段に記憶させているＩＤ番号等の識別情報とを関連付けして会員情報データベースに登録させておくことで、非接触ＩＣタグ３からの読み取り情報から利用者の電子メールアドレスが特定できるようにしておく。
【００１２】
また、予め街頭や駅構内などの公共の場所の複数箇所の所定位置に、利用者が所持している非接触ＩＣタグ３に記憶された識別情報を非接触で読み取ることができる非接触ＩＣタグ読取装置４が備えられている。
図１では、駅構内の階段の途中付近に非接触ＩＣタグ読取装置４が備えられた例が示されているが、これに限らず利用者が外出時に通行する種々の場所に非接触ＩＣタグ読取装置４を設置しておくことで、非接触ＩＣタグ読取装置４に利用者が所持している非接触ＩＣタグ３を近づけて、非接触ＩＣタグ３に記憶した識別情報を読み取りやすいようにしておく。
これらの非接触ＩＣタグ読取装置４は、外観上は看板やポスターなどのような仕様にしておき、これらの表面に例えば「野球情報を知りたい方は、非接触ＩＣタグ３を近づけて下さい。」などの表示を行うことで、利用者の誰でもがわかるようにしておくことが好ましい。
【００１３】
また一方、情報管理センター５などには、会員情報を管理及び情報提供を行うサーバ６及び端末７が備えられ、通信回線９を介して、サーバ６と非接触ＩＣタグ読取装置４とが通信可能に接続されている。
また、情報管理センター５などに設置されたサーバ６から利用者の携帯電話機２に対して、試合状況情報の配信サービスの提供ができるように通信回線９及び移動体通信回線１０により、サーバ７と携帯電話機２とが通信可能な状態になっている。
【００１４】
サーバ６としては、管理用サーバ６ａ、Ｗｅｂサーバ６ｂ、メールサーバ６ｃなどのサーバ６備えられ、また会員情報データベース８ａ、試合状況情報データベース８ｂ、メールコンテンツデータベース８ｃなどのデータベースが設けられている。
【００１５】
また、本発明で使用する非接触ＩＣタグ３は、図２に示すように、汎用されている非接触ＩＣタグ３を用いることができ、一般にはＲＦＩＤ（ｒａｄｉｏｆｒｅｑｕｅｎｎｃｙ　ｉｄｅｎｔｉｆｉｃａｔｉｏｎ）と称されるもので、プラスチック等の基材３１にコイル状アンテナパターン３３を形成し、このコイル状アンテナパターン３３と容量素子とにより共振回路を形成して一定周波数の電波を受信、送信ができるように構成されているものが使用できる。
【００１６】
図２に示す非接触ＩＣタグ３においては、アンテナパターン３３は導通部材３４により基材３１の裏面でジャンピング回路を形成してアンテナ接続端子３３ＣによりＩＣチップ３２の裏面のバンプに接続されている。
この図２に示す例では、容量素子はＩＣチップ３２に内臓されている。
ＩＣチップ３２は記憶手段であるメモリを備え、それぞれの非接触ＩＣタグ３を識別することが可能なＩＤ番号などの識別情報等が記録されている。
【００１７】
このような非接触ＩＣタグ３は、樹脂基材にラミネートしたアルミ箔等の金属箔をフォトエッチングや樹脂基材表面にレジストパターンを印刷した後のエッチングによりアンテナパターン３３を形成し、ＩＣチップ３２を装着し、保護用被覆を設けることにより形成することができる。
非接触ＩＣタグ３はプラスチック基体に埋設されているが、例えば図３に示すように２つの紙層３５ａ，３５ｂの間に挟持させることで、　ＩＣチップ３２やアンテナパターン３３を保護すると共に、持ち運びに便利な形態とすることが好ましい。
【００１８】
また携帯電話機２は、一般的に使用されている携帯電話機であって、インターネット等の通信回線９及び移動体通信回線１０を介してサーバ６との間で通信が可能で、サーバ６から配信された試合状況情報を表示できる表示手段などを有する。
【００１９】
次に、本発明の実施形態に係る試合状況情報提供システムのシステム構成を図４に基づいて説明する。
非接触ＩＣタグ３には、ＩＤ番号などの識別情報が記憶されたメモリからなる記憶手段と、非接触ＩＣタグ読取装置４からの信号を受信し、記憶手段に記憶された識別情報を非接触ＩＣタグ読取装置４に送信するアンテナからなる送受信手段と、ＩＣからなる制御手段とが設けられている。
【００２０】
また、非接触ＩＣタグ読取装置４には、非接触ＩＣタグ３の記憶手段に記憶された識別情報を非接触で読み取る読取手段１１と、記憶手段１２と、送受信手段１３と、制御手段１４とを備えている。
送受信手段１３により、非接触ＩＣタグ３から読み取った識別情報を、通信回線９を介して情報管理センター５のサーバ６に送信可能に構成されている。
【００２１】
次に、情報管理センターのサーバ６には、送受信手段１５、試合状況情報配信手段１６、抽出手段１７、制御手段１８が備えられている。
更に、このサーバ６には、会員情報データベース８ａと、試合状況情報データベース８ｂ、コンテンツデータベース８ｃとが備えられている。
会員情報データベース８ａは、例えば図５に示すように、利用者である個々の会員に関する氏名２２や電子メールアドレス２３等の個人情報と、非接触ＩＣタグ３の記憶手段に記憶させておく非接触ＩＣタグ３の識別情報２４とが関連付けて登録してある。
これにより、非接触ＩＣタグ読取装置４により非接触ＩＣタグ３から読み取られた識別情報に基づいて、電子メールアドレスが特定され、その電子メールアドレス宛てに試合状況情報の配信が行えるようにしてある。
【００２２】
また、サーバ６に接続された端末７には、送受信手段２５、入力手段２６、表示手段２７、制御手段２８が備えられ、試合の経過内容や得点などの試合状況の情報を随時に入力手段２６から入力することで、サーバ６の試合状況情報データベース９にその試合の最新状況の情報が随時登録できるようにしてある。
図６には、利用者の携帯電話機に表示されたイベント情報の一例が示されているが、この例のように、端末７の入力手段２６から入力された試合状況情報が何時の時点における情報であるのかを示すと共に、できるだけ最新の試合状況が配信されるよう随時情報の更新が行われる。
【００２３】
また、携帯電話機２は、一般的に市販されているものであり、送受信手段４０、操作手段４１、表示手段４２、記憶手段４３、マイク４４、スピーカ４５、制御手段４６などを備えている。
表示手段４２には、移動体通信回線１０を介してサーバ７から配信されたイベント情報の内容を表示させる。
【００２４】
次に、本発明の実施形態に係る試合状況情報提供システムを利用者が利用する際の処理手順について、利用者が野球の試合状況を知りたい場合を一例として、図７のフローチャートに基づいて説明する。
まず、利用者が野球の試合状況を知りたい場合には、利用者は、街頭や駅構内などの設置されている非接触ＩＣタグ読取装置４に非接触ＩＣタグ３を近づけて、非接触ＩＣタグ３の記憶手段に記憶されている識別情報を読み取らせる（ステップＳ１）。
そして、この非接触ＩＣタグ読取装置４で読み取られた識別情報は、サーバ６に送信される（ステップＳ２）。
【００２５】
次に、識別情報を受信したサーバ６では、会員情報データベース８ａの登録情報に基づいて、受信した識別情報と関連付けて登録されている電子メールアドレスの抽出処理が行われる（ステップＳ３）。
次に、試合状況情報データベース８ｂに登録されている試合状況情報を、抽出された電子メールアドレス宛てに配信する（ステップＳ４）。
【００２６】
配信された試合状況情報は、利用者の携帯電話機２の表示手段４２で表示されて、利用者がこれらの試合状況情報を知ることができる（ステップＳ５）。
以上により、利用者に対して、各種の試合状況情報の配信サービスを行うことができるものである。
【００２７】
【発明の効果】
以上のように、本発明の試合状況情報提供システムは、外出先においても、野球やサーカーなどの試合状況を知りたい時に、いちいちテレビやラジオを持ち歩かなくても、試合状況情報の配信サービスを携帯電話を利用して受けることができるので、気軽にそれらの情報を入手することができ利用者の利便性のを図ることができるという効果がある。
【図面の簡単な説明】
【図１】本発明の実施形態に係る試合状況情報提供システムの全体構成を説明する図である。
【図２】本発明で使用される非接触ＩＣタグの一例を示す平面図である。、
【図３】紙層間に非接触ＩＣタグを挟持させた状態の非接触ＩＣタグ紙片を示す略断面図である。
【図４】本発明の実施形態に係る試合状況情報提供システムのシステムブロック図である。
【図５】本発明の実施形態に係る試合状況情報提供システムの会員情報データベースの記憶内容を示す図である。
【図６】本発明の実施形態に係る試合状況情報提供システムにおける携帯電話機の表示内容を示す図である。
【図７】本発明の実施形態に係る試合状況情報提供システムの処理手順を示すフローチャートである。
【符号の説明】
１　利用者
２　携帯電話機
３　接触ＩＣタグ
４　非接触ＩＣタグ読取装置
５　情報管理センター
６　サーバ
６ａ　管理サーバ
６ｂ　Ｗｅｂサーバ
６ｃ　メールサーバ
７　端末
８ａ　会員情報データベース
８ｂ　試合状況情報データベース
８ｃ　メールコンテンツデータベース
９　通信回線
１０　移動体通信回線
１１　読取手段
１２，４３　記憶手段
１３，１５，２５，４０　送受信手段
１４，１８，２８，４６　制御手段
１６　試合状況情報配信手段
１７　抽出手段
２２　氏名
２３　電子メールアドレス
２４　識別情報
２７，４２　表示手段
３１　基材
３３　コイル状アンテナパターン
３２　ＩＣチップ
３４　導通部材
３５ａ，３５ｂ　紙層
３３Ｃ　アンテナ接続端子
４１　操作手段
４４　マイク
４５　スピーカ
【図１】
2004102372.tif 000003
【図２】
2004102372.tif 000004
【図３】
2004102372.tif 000005
【図４】
2004102372.tif 000006
【図５】
2004102372.tif 000007
【図６】
2004102372.tif 000008
【図７】
2004102372.tif 000009